(57)【特許請求の範囲】
【請求項１】
番組を受信することができる受信装置と、番組情報や商品情報を提供することができる情報提供装置とからなる送受信システムであって、
上記受信装置は、
配信された番組を受信する受信部と、
上記受信部により受信した番組を選択する選択手段と、
上記選択手段により選択された番組を表示制御する表示制御手段と、
複数のユーザから個人のユーザを特定する特定手段と、
上記特定手段により特定されたユーザが上記選択手段により選択した番組の関連情報を、該特定されたユーザの情報と共に、インターネットを介して上記情報提供装置に送信する通信部と、を備え、
上記情報提供装置は、
上記通信部により送信された上記選択した番組の情報と上記特定されたユーザの情報に基づいて、上記特定されたユーザの嗜好に適した番組情報や商品情報を提供することを特徴とする送受信システム。
【請求項２】
前記受信部を操作するリモコンは、前記受信部の電源をオンにする操作ボタンで構成された電源投入手段を複数備え、
前記受信部は、前記リモコンからの電源投入手段により電源がオンされたときに、前記複数の電源投入手段の違いを判別し、その判別された電源投入手段に基づいて、前記情報提供装置からのユーザが視聴した番組のデータに基づいて生成されたユーザの嗜好に適した番組情報に基づいて設定されているチャンネル番号の選択ができるように制御することを特徴とする請求項１に記載の送受信システム。
【発明の詳細な説明】
【技術分野】
【０００１】
本発明は、送受信システムに関する。詳しくは、複数人で利用する放送番組の受信機（ＳＴＢ；セットトップボックス）等の電子機器において、機器を利用する個人を特定し、特定した個人に適した機器操作環境や嗜好に適した放送番組情報／商品情報等を提供できる送受信システムに関する。
【背景技術】
【０００２】
従来技術において、例えば、米国のＴｉＶｏ社が提供する放送番組の受信機（ＳＴＢ）のように、電話回線と受信機を接続し、ユーザがどのような放送番組を視聴しているのかを判別する視聴情報を収集してユーザの嗜好を分析し、自動的にユーザの好みに合うような放送番組を通知（推奨）したり、記録するような機器やサービスが存在する。
【先行技術文献】
【特許文献】
【０００３】
【特許文献１】特開２０００−５０１８０号
【発明の概要】
【発明が解決しようとする課題】
【０００４】
しかしながら、このような機器やサービスでは、家族等、複数人で１台の受信機（ＳＴＢ）等の電子機器を使用する場合が多く、利用する機能が各人で別々であり、また、操作方法（例えば、リモコンの操作ボタン等）は一様であるので必ずしも各人の利用しやすい操作（動作）環境ではないという問題がある。又、ユーザが視聴する放送番組の視聴情報等を収集／分析して、ユーザの嗜好に適した放送番組や商品情報を提供するサービスを行う場合においても、複数人が１台の電子機器を利用すると、各人の視聴情報が混交してしまい、必ずしも現在利用しようとする人の嗜好に合うような情報を提供することができないという問題がある。
【０００５】
従って、複数人で利用するデジタル放送の受信機（ＳＴＢ）等の電子機器において、機器を利用する個人を特定し、特定した個人に適した機器操作環境を提供すること、特定した個人の嗜好に適した放送番組情報／商品情報等を提供できるようにすることに解決しなければならない課題を有する。
【課題を解決するための手段】
【０００６】
前記課題を解決するため、本発明に係る送受信システムは次のような構成にすることである。
【０００７】
（１）送受信システムは、番組を受信することができる受信装置と、番組情報や商品情報を提供することができる情報提供装置とからなる送受信システムであって、上記受信装置は、配信された番組を受信する受信部と、上記受信部により受信した番組を選択する選択手段と、上記選択手段により選択された番組を表示制御する表示制御手段と、複数のユーザから個人のユーザを特定する特定手段と、上記特定手段により特定されたユーザが上記選択手段により選択した番組の関連情報を、該特定されたユーザの情報と共に、インターネットを介して上記情報提供装置に送信する通信部と、を備え、上記情報提供装置は、上記通信部により送信された上記選択した番組の情報と上記特定されたユーザの情報に基づいて、上記特定されたユーザの嗜好に適した番組情報や商品情報を提供することである。
（２）前記受信部を操作するリモコンは、前記受信部の電源をオンにする操作ボタンで構成された電源投入手段を複数備え、前記受信部は、前記リモコンからの電源投入手段により電源がオンされたときに、前記複数の電源投入手段の違いを判別し、その判別された電源投入手段に基づいて、前記情報提供装置からのユーザが視聴した番組のデータに基づいて生成されたユーザの嗜好に適した番組情報に基づいて設定されているチャンネル番号の選択ができるように制御することを特徴とする（１）に記載の送受信システム。
【０００８】
このような送受信システムにより、機器の電源をオンする時にユーザを特定することが可能となり、各ユーザに対応した予め設定された機器設定、若しくはユーザの利用状況に基づいた機器設定によって各ユーザに適した操作環境で機器を動作させることができる。又、ユーザを特定できるので、各ユーザ別の機器利用状況や放送番組の視聴情報を収集／分析して、今まで以上に個人の嗜好に適した放送番組情報や商品情報の提供、機器の動作（操作）環境等を提供することが可能となる。
【発明の効果】
【０００９】
以上説明したように、電子機器の電源をオンする時の操作を、各人が別の操作方法（操作ボタン等）で行うことにより、電源をオンする時点でユーザを特定することができるので、予め設定した機器設定若しくはユーザの利用状況に基づいた機器設定によって各ユーザに適した操作環境で電子機器を動作させることが可能となる。又、各ユーザ別の機器利用状況や放送番組の視聴情報を収集して分析できるので、機器毎でしか判別できなかった視聴情報等が個人別に判別できるようになり、今まで以上に個人の嗜好に適した放送番組情報や商品情報の提供、機器の動作（操作）環境等を提供することができる。
【図面の簡単な説明】
【００１０】
【図１】本発明に係る電子機器（受信機）において、デジタル放送を視聴する送受信システムの一例を示した概略図である。
【図２】本発明に係る電子機器の一例として、デジタル放送を視聴する受信機の構成を示したブロック図である。
【図３】本発明に係る受信機（電子機器）を操作するリモコン（リモートコントローラ）の一例として、デジタル放送受信機を操作するＡＲＩＢ  ＴＲ−１５規格の（推奨する）リモコンについて示した外観図である。
【図４】ＡＲＩＢ  ＴＲ−１５規格のリモコンで、データ放送を視聴する場合に用いるリモコンキー（操作ボタン）についての説明図である。
【図５】ＡＲＩＢ規格のデジタル放送における放送番組のジャンルを記述するコンテント記述子（Ｃｏｎｔｅｎｔ  ｄｅｓｃｒｉｐｔｏｒ）の構造及び送出運用規則についての説明図である。
【図６】デジタル放送の放送番組のジャンルが記述されているＡＲＩＢで規定されてたコンテント記述子（Ｃｏｎｔｅｎｔ  ｄｅｓｃｒｉｐｔｏｒ）に記述される具体的な記述内容（の一部）についての説明図である。
【図７】本発明に係る受信機（電子機器）を操作するするリモコンで、各ユーザに適した操作環境により放送チャンネルを選択する場合の操作ボタンの一例を示した説明図である。
【図８】本発明に係る受信機（電子機器）において、ＥＰＧ（電子番組情報）を画面表示した場合の配列の一例を示した説明図である。
【発明を実施するための形態】
【００１１】
次に、本発明に係る送受信システムの実施の形態を図面を参照しながら説明する。
【００１２】
図１に示すデジタル放送の送受信システムは、放送局が送信アンテナ１１０や衛星１２０により放送番組を送信したり、放送番組の番組情報を提供することができる（番組）提供システムである放送システム１００と、放送システム１００から送信された放送番組を受信する為のアンテナ（地上波用／衛星放送用）２１０と電子機器である受信機２２０とからなるユーザが有する受信システム２００と、電話回線等のネットワーク４００を介してユーザの受信機２２０から視聴情報を収集し、放送番組や商品等の嗜好を分析し、放送局からの電子番組情報（ＥＰＧ）や商品情報等をユーザの嗜好や要望に適した形式で提供する番組情報提供業者の情報提供システム３００とから構成される。尚、放送システム１００と情報提供システム２００はネットワーク等で接続して番組情報等の情報を送受できることは勿論である。
【００１３】
図２は、ユーザが有する受信システム２００における受信機２２０（電子機器）の主要部の一例を示した概略図であり、デジタル放送の電波（放送番組信号）を受信選択するチューナ部２２１と、チューナ部２２１で受信した電波から映像／音声／データ信号と、視聴する放送番組の属性（ジャンル）情報等を分離する分離部（ＤＭＵＸ）２２２と、分離部２２２で分離された映像／音声／データ信号を映像／音声／データに復調する復調部（Ｄｅｃｏｄｅｒ）２２３と、復調部２２３で復調した映像／音声／データをモニタ等へ出力する出力部２２４と、受信機２２０の各部を制御する制御部（Ｃｏｎｔｒｏｌｌｅｒ）２２５と、制御部２２５を介して送られてくる放送番組の属性（ジャンル）情報や視聴情報等をモデム等により情報提供業者の情報提供システム３００へ送る通信部２２６と、受信機２２０を操作するリモコン５００とから構成される。又、受信機２２０は、リモコン５００等による所定の操作によって、例えば自分の見やすいような画面表示に設定したり、リモコン５００の操作ボタンを使いやすいように割り当てる等、各個人に適した使用環境の設定／記憶を行うことができる設定機能を具備し、電源をオンする時にリモコン５００の予め決めた所定の操作ボタンを押すことにより設定／記憶した操作環境を判別して動作する。尚、受信機２２０は、ユーザの視聴した放送番組の視聴情報を蓄積（収集）／分析し、ユーザの嗜好に適した番組情報をＥＰＧ等から抽出して提示する機能を自機器内に設けるようにすることも可能である。
【００１４】
このような受信機２２０を操作するリモコン（リモートコントローラ）５００の一例として、図３に示すような「ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）  ＴＲ−Ｂ１５  ＢＳデジタル放送運用規定」で推奨されているＢＳデジタルチューナのリモコン５００Ａ（図３（ａ））やＢＳ内蔵テレビジョンのリモコン５００Ｂ（図３（ｂ））等がある。
【００１５】
図３に示すリモコン５００Ａとリモコン５００Ｂは、受信機２２０の電源ＯＮ／ＯＦＦ（スタンバイ）を行う「電源」ボタン５０１と、チャンネル番号の入力により選局が可能な「０」〜「９」の数字キー（テンキー）５０２と、情報提供業者や放送局等からの番組表（番組情報データ）を表示するための「ＥＰＧ」ボタン５０３と、受信機２２０のシステムメニューを表示するための「メニュー」ボタン５０４と、画面上に表示されるカーソルを上下左右に移動させるための矢印ボタン（「↑」、「↓」、「→」、「←」）５０５と、画面上に表示されるカーソルが位置する項目を選択項目として決定する為の「決定」ボタン５０６と、チャンネル選局の「アップ」／「ダウン」ボタン５０７と、データ放送で使用する「データ」ボタン５０８と、操作の取り消しなどを行う「戻る」ボタン５０９と、関連する映像を選択する為の「映像」ボタン５１０と、音声ＥＳ及び二カ国語切替え用の「音声」ボタン５１１と、字幕のＯＮ／ＯＦＦ及び字幕言語切替えの為の「字幕」ボタン５１２と、「青」／「赤」／「緑」／「黄」の４つからなるカラーボタン５２０と、予めプリセットされたサービスＩＤを一発で選局可能な「Ａ」〜「Ｌ」の１２個のワンタッチボタン５３０とを有する。尚、ＢＳ内蔵テレビジョン用のリモコン５００Ｂには、上記のボタンに加えてテレビジョンの音量を調整する「音量」ボタン５４０と、音声多重放送の為の「音多（音声多重）」ボタン５５０と、テレビジョンの音量をワンタッチで消す「音消」ボタン５５１と、地上波のチャンネル受信とＢＳ放送のチャンネルとを切り替える「地上波」ボタン５６０と「ＢＳ」ボタン５７０が具備されている。
【００１６】
そして、リモコン５００Ａやリモコン５００Ｂによりデータ放送サービスを利用して商品を選択したり、クイズ番組に参加するなどインタラクティブな操作を行うときには図４に示すように、画面上に表示されるカーソルを上下左右に移動させる矢印ボタン（「↑」、「↓」、「→」、「←」）５０５と、所望の数字を入力する「０」〜「９」の数字キー（テンキー）５０２と、操作の区切り（決定）を行う「決定」ボタン５０６と、操作の取り消し／入力文字のバックスペースや一括消去／双方向の発呼中断／前表示画面（ＢＭＬ文書）に戻る等の用途に用いる「戻る」ボタン５０９と、マルチメディアデータ放送の表示、非表示切替えを行う「データ」ボタン５０８と、操作（実行）の選択を行う「青」／「赤」／「緑」／「黄」の４つからなるカラーボタン５２０が主に使用される。
【００１７】
ここで、このようなリモコン５００（リモコン５００Ａ若しくはリモコン５００Ｂ）のカラーボタン５２０（図３参照）の「赤」／「青」／「緑」／「黄」の４つそれぞれに対して、受信機２２０の電源オン機能を割り当てる。そして、それぞれのユーザが予め自分の利用するカラーボタン５２０を決めておくことによりリモコン５００で電源オンした時点で受信機２２０が個人を特定することができる。尚、カラーボタン５２０は、電源をオンにした後、データ放送における操作（実行）の選択を行う機能など通常の操作設定情報を割り当てる。
【００１８】
受信機２２０側では、リモコン５００の「赤」／「青」／「緑」／「黄」の４つのカラーボタン５２０に個々に対応した個別の利用状況の設定／記憶が行われる。又、電源投入機能はその他の操作ボタンに割り当てたり、例えば、電源ボタン５０１とワンタッチボタン５３０のうち何れかを同時に押すことで電源オンが行われる、というように複数の操作ボタンを組み合わせて電源オンできるようにすることも可能である。更に、ユーザが予め決めた自分のカラーボタン５２０以外の色のボタンを操作して受信機２２０を利用しないようにパスワードやＩＤ情報の入力を要求するようにしても良い。尚、カラーボタン５２０（若しくは他の操作ボタン）は電源オン時以外は通常の操作が割り当てられているので受信機２２０の電源をオフする場合には、全てのユーザが電源ボタン５０１により電源オフを行う。
【００１９】
一方、ユーザの放送番組の嗜好を調査するために用いる放送番組のジャンル情報は、ＡＲＩＢ規格で規定されているＢＳデジタル放送を例にとると、放送局からの電波＝ＴＳ（トランスポートストリーム）に含まれている番組配列情報のＥＩＴ（イベント情報テーブル）の中のコンテント記述子（Ｃｏｎｔｅｎｔ  ｄｅｓｃｒｉｐｔｏｒ）に記述されている。
【００２０】
コンテント記述子（ｃｏｎｔｅｎｔ＿ｄｅｓｃｒｉｐｔｏｒ（））のデータ構造は、図５に示すように、ｄｅｓｃｒｉｐｔｏｒ＿ｔａｇ（記述子タグ）と、ｄｅｓｃｒｉｐｔｏｒ＿ｌｅｎｇｔｈ（記述子長）と、ｃｏｎｔｅｎｔ＿ｎｉｂｂｌｅ＿ｌｅｖｅｌ＿１と、ｃｏｎｔｅｎｔ＿ｎｉｂｂｌｅ＿ｌｅｖｅｌ＿２と、ｕｓｅｒ＿ｎｉｂｂｌｅと、ｕｓｅｒ＿ｎｉｂｂｌｅとから構成されており、ｃｏｎｔｅｎｔ＿ｎｉｂｂｌｅ＿ｌｅｖｅｌ＿１と、ｃｏｎｔｅｎｔ＿ｎｉｂｂｌｅ＿ｌｅｖｅｌ＿２と、ｕｓｅｒ＿ｎｉｂｂｌｅと、ｕｓｅｒ＿ｎｉｂｂｌｅとは、「ｆｏｒ（ｉ＝０；ｉ＜Ｎ；ｉ＋＋）」の記述（指定）により変数”ｉ”がｉ＜Ｎの間、変数”ｉ”の値を「１」インクリメントしてループする（繰り返される）。
【００２１】
ｄｅｓｃｒｉｐｔｏｒ＿ｔａｇ（記述子タグ）は、８ビットのフィールドで、各記述子を識別する。この場合は”０ｘ５４”を記述する。ｄｅｓｃｒｉｐｔｏｒ＿ｌｅｎｇｔｈ（記述子長）は、８ビットのフィールドで、このフィールドの直後に続く記述子のデータ部分の全バイト長を規定し、ループ回数の最大値を７（ｃｏｎｔｅｎｔ＿ｎｉｂｂｌｅ指定：３、ｕｓｅｒ＿ｎｉｂｂｌｅ指定：４）と規定する。即ち記述子長の最大値は１４バイトとする。
【００２２】
ｃｏｎｔｅｎｔ＿ｎｉｂｂｌｅ＿ｌｅｖｅｌ＿１は、４ビットのフィールドで、コンテント識別の第１段階分類（番組ジャンル大分類）を表す。番組特性を示す際には”０ｘＥ”を指定する。ｃｏｎｔｅｎｔ＿ｎｉｂｂｌｅ＿ｌｅｖｅｌ＿２は、４ビットのフィールドで、コンテント識別の第２段階分類（番組ジャンル
中分類）を表す。ｃｏｎｔｅｎｔ＿ｎｉｂｂｌｅ＿ｌｅｖｅｌ＿１＝”０ｘＥ”の時は、番組特性コード表の種類を記述する放送開始当初のジャンルコード表（ＡＲＩＢ規格  ＴＲ−Ｂ１５の［付録Ａ］）を参照する。ｕｓｅｒ＿ｎｉｂｂｌｅは、４ビットのフィールドで、放送事業者により定義される。ｃｏｎｔｅｎｔ＿ｎｉｂｂｌｅ＿ｌｅｖｅｌ＿１＝”０ｘＥ”としたときのみ、番組特性を記述する。その他の場合は”０ｘＦＦ”とする。ｃｏｎｔｅｎｔ＿ｎｉｂｂｌｅ＝”０ｘＥ０”（ＡＲＩＢ規格で規定されたＢＳデジタル放送用番組付属情報）を指定した場合は、放送開始当初の番組特性コード表（ｕｓｅｒ＿ｎｉｂｂｌｅの運用）（ＡＲＩＢ規格  ＴＲ−Ｂ１５の［付録Ｂ］）に従い、中止／延長／中断等の放送番組の流動編成等に関する記述がなされる。
【００２３】
番組ジャンルは、上述のジャンル大分類ｃｏｎｔｅｎｔ＿ｎｉｂｂｌｅ＿ｌｅｖｅｌ＿１と、ジャンル中分類ｃｏｎｔｅｎｔ＿ｎｉｂｂｌｅ＿ｌｅｖｅｌ＿２とにより放送番組の記述内容が定められる。例えば、図６に示すＡＲＩＢ規格においては、ｃｏｎｔｅｎｔ＿ｎｉｂｂｌｅ＿ｌｅｖｅｌ＿１が”０ｘ０”の時は、「ニュース／報道」番組であり、”０ｘ１”の時は「スポーツ」番組である。
そして、このジャンル大分類をジャンル中分類ｃｏｎｔｅｎｔ＿ｎｉｂｂｌｅ＿ｌｅｖｅｌ＿２によって更に細分化する。ジャンル大分類が「ニュース／報道」（ｃｏｎｔｅｎｔ＿ｎｉｂｂｌｅ＿ｌｅｖｅｌ＿１＝”０ｘ０”）において、ジャンル中分類ｃｏｎｔｅｎｔ＿ｎｉｂｂｌｅ＿ｌｅｖｅｌ＿２が”０ｘ０”の時は、「定時・総合」（のニュース／報道）番組、”０ｘ１”の時は「天気・交通」番組、”０ｘ２”の時は「特集・ドキュメント」番組・・・、ジャンル大分類が「スポーツ」（ｃｏｎｔｅｎｔ＿ｎｉｂｂｌｅ＿ｌｅｖｅｌ＿１＝”０ｘ１”）において、ジャンル中分類ｃｏｎｔｅｎｔ＿ｎｉｂｂｌｅ＿ｌｅｖｅｌ＿２が”０ｘ０”の時は「スポーツニュース」、”０ｘ１”の時は「野球」・・・というように分類される。
【００２４】
次に、図１の送受信システムでデジタル放送を視聴する場合における受信システムの受信機（図２参照）の動作について説明する。
【００２５】
まず、予めユーザ個別に決めたリモコン５００のカラーボタン５２０（「赤」／「青」／「緑」／「黄」）を操作して、受信機２２０の電源をオンにする。
受信機２２０は、リモコン５００で操作されたカラーボタン５２０の色により電源をオンしたユーザが設定したリモコン５００の操作ボタンの配列で動作する。若しくは、今までの利用状況を分析して電源オンしたユーザが利用しやすいような操作環境を提供する。
【００２６】
例えば、図７に示すように、リモコン５００（図３参照）で受信機２２０の電源をオンすると、カラーボタン５２０の「赤」ボタンで電源をオンした場合、数字キー５０２の「１」→Ａ［ｃｈ］、「２」→Ｂ［ｃｈ］、「３」→Ｃ［ｃｈ］・・・・「０」→Ｇ［ｃｈ］、「青」ボタンで電源をオンした場合、数字キー５０２の「１」→Ｃ［ｃｈ］、「２」→Ｅ［ｃｈ］、「３」→Ｄ［ｃｈ］・・・・「０」→Ｂ［ｃｈ］、「緑」ボタンで電源をオンした場合、「１」→Ｅ［ｃｈ］、「２」→Ａ［ｃｈ］、「３」→Ｂ［ｃｈ］・・・・「０」→Ｃ［ｃｈ］、「黄」ボタンで電源をオンした場合、「１」→Ｂ［ｃｈ］、「２」→Ｆ［ｃｈ］、「３」→Ｇ［ｃｈ］・・・・「０」→Ｄ［ｃｈ］と云うように、受信機２２０の電源をオンしたカラーボタン５２０の色によりリモコン５００の数字キー５０２に割り当てる放送局のチャンネルが変わり、個人が使いやすい操作ボタンの配置で受信機２２０の操作を行うことができる。尚、カラーボタン５２０は、電源をオンした後（電源オン時以外）にはデータ放送の操作（実行）の選択を行う等の通常の操作情報が割り当てられる。また、受信機２２０の電源をオフする場合には、全てのユーザが電源ボタン５０１により電源をオフする。
【００２７】
続いて、受信機２２０によりＥＰＧ（電子番組情報）等を閲覧する場合について説明する。
【００２８】
ユーザが受信システム２００により放送番組を視聴する為、リモコン５００のカラーボタン５２０（図３参照）により受信機２２０の電源をオンする。受信機２２０は、カラーボタン５２０の色（「赤」／「青」／「緑」／「黄」）によりユーザを特定できるので、それぞれのユーザに対応して設定されている機器動作を行う。そしてユーザが様々な放送番組の視聴を行うと、受信機２２０の分離部２２２で分離した放送番組の番組ジャンルのデータ（図５、図６参照）と共に、ユーザを特定するユーザ情報を含む放送番組の視聴情報が電話回線等のネットワーク４００介して情報提供業者の情報提供システム３００に送られる。情報提供システム３００は、受信機２２０からの視聴情報に含まれたユーザ情報に従ってユーザ別の視聴データ収集／分析を行い、各ユーザの嗜好に適した放送番組情報や商品情報等を受信機２２０に送る。尚、受信機２２０の装置内にユーザの視聴した放送番組の視聴情報を蓄積（収集）／分析し、情報提供システム３００等から送られてくるＥＰＧ等からユーザの嗜好に適した番組情報や商品情報を抽出して提示する機能を設けるようにすることも可能である。
【００２９】
例えば、図８に示すＥＰＧによるチャンネル別の番組表（１６時〜１８時）を閲覧する場合、受信機２００と接続された情報提供システム３００から、今までユーザが視聴した放送番組のデータに基づき、個人の嗜好に適した放送番組情報（商品情報等）が送られてくるので、画面上に表示されるチャンネル別の番組情報の表示位置が、カラーボタン５２０の「赤」ボタンで電源をオンした時には、位置１→Ａ［ｃｈ］、位置２→Ｂ［ｃｈ］、位置３→Ｃ［ｃｈ］、位置４→Ｄ［ｃｈ］、位置５→Ｅ［ｃｈ］、位置６→Ｆ［ｃｈ］、位置７→Ｇ［ｃｈ］の順（図８（ａ）参照）、「青」ボタンで電源をオンした時には、位置１→Ｃ［ｃｈ］、位置２→Ｅ［ｃｈ］、位置３→Ｄ［ｃｈ］、位置４→Ｆ［ｃｈ］、位置５→Ｇ［ｃｈ］、位置６→Ａ［ｃｈ］、位置７→Ｂ［ｃｈ］の順（図８（ｂ）参照）というように各人の見やすいチャンネル配列（順番）で表示される。
【００３０】
尚、上記で述べた電子機器は、デジタル放送の受信機についての説明であるが、複数の電源投入手段を有する機器、例えば、セットトップボックス（ＳＴＢ）やパソコン等の機器に応用して、電源をオンする時にユーザを特定し、予め設定した機器設定若しくはユーザの利用状況に基づいた機器設定によって各ユーザに適した操作環境で機器を動作させることが可能なことは勿論であり、また、これらの電子機器に限定されるものでないことは云うまでもない。
【符号の説明】
【００３１】
１００；放送システム、１１０；送信アンテナ、１２０；衛星、２００；受信システム、２１０；（受信）アンテナ、２２０；受信機（電子機器）、３００；情報提供システム、４００；ネットワーク、５００；リモコン、２２１；チューナ、２２２；分離部、２２３；復号部、２２４；出力部、２２２５；制御部、２２６；通信部、５００Ａ；リモコン、５００Ｂ；リモコン；５０１；「電源」ボタン５０１、５０２；数字キー（テンキー）、５０３；「ＥＰＧ」ボタン、５０４；「メニュー」ボタン、５０５；矢印ボタン、５０６；「決定」ボタン、５０７；「アップ」／「ダウン」ボタン、５０８；「データ」ボタン、５０９；「戻る」ボタン、５１０；「映像」ボタン、５１１；「音声」ボタン、５１２；「字幕」ボタン、５２０；カラーボタン、５３０；ワンタッチボタン、５４０；「音量」ボタン、５５０；「音多（音声多重）」ボタン、５５１；「音消」ボタン、５６０；「地上波」ボタン、５７０；「ＢＳ」ボタン
【図１】
0004985707.tif 000002
【図２】
0004985707.tif 000003
【図３】
0004985707.tif 000004
【図４】
0004985707.tif 000005
【図５】
0004985707.tif 000006
【図６】
0004985707.tif 000007
【図７】
0004985707.tif 000008
【図８】
0004985707.tif 000009